(57)【要約】【課題】画素の配列を改善し、各画素あたりに対応するアドレス電極の個数を減少させることのできるプラズマディスプレイパネルを提供する。【解決手段】本発明のプラズマディスプレイパネルは、前面基板３０と、前面基板と向かい合う背面基板１０と、前面基板３０と背面基板１０との間の空間を区画して多数の放電セル１８を形成する隔壁２３と、放電セル１８に対応して第１方向に長く形成されるアドレス電極１５と、第１方向と交差する第２方向に長く延長され、放電セル１８内で互いに向かい合う維持電極３２及び走査電極３４とを備え、一つの画素を構成する３個の放電セルのうち２個は同一なアドレス電極１５によって駆動され、隔壁２３の側面は第２方向に傾斜して形成されていることを特徴とする。【選択図】図１
2007149669.tif 000002
【特許請求の範囲】
【請求項１】
前面基板と、
前記前面基板と向かい合う背面基板と、
前記前面基板と背面基板との間に位置し、その間の空間を区画して多数の放電セルを形成する隔壁と、
前記放電セルに対応して第１方向に長く形成されるアドレス電極と、
前記第１方向と交差する第２方向に長く延長され、前記放電セルにおいて互いに向かい合う第１電極及び第２電極とを有し、
一つの画素を構成する複数の放電セルのうち少なくとも２個は、同一な前記アドレス電極に対応し、前記隔壁の側面は前記第２方向に傾斜して形成されていることを特徴とするプラズマディスプレイパネル。
【請求項２】
前記各放電セルの中心部分において、前記第２方向に測定される上部幅は、前記第２方向に測定される底面幅よりも長く形成されていることを特徴とする請求項１に記載のプラズマディスプレイパネル。
【請求項３】
前記各放電セルの前記第１方向に沿った縁部において、前記第２方向に測定される上部幅は、前記第２方向に測定される底面幅よりも短く形成されていることを特徴とする請求項１または請求項２に記載のプラズマディスプレイパネル。
【請求項４】
前記隔壁の側面は、前記放電セルの前記第１方向の中心部分で前記放電セルの底面と鈍角を形成して前記前面基板に向かって傾斜していることを特徴とする請求項１から請求項３のいずれか１項に記載のプラズマディスプレイパネル。
【請求項５】
前記各画素は３個の放電セルから構成され、前記各画素を構成する放電セルの中心が三角形状に配置されていることを特徴とする請求項１から請求項４のいずれか１項に記載のプラズマディスプレイパネル。
【請求項６】
前記各画素は赤色、緑色、青色の放電セルを有することを特徴とする請求項５に記載のプラズマディスプレイパネル。
【請求項７】
一つの画素を構成する放電セルのうち前記同一なアドレス電極に対応する２個の放電セルは、互いに異なる色の蛍光体層を有することを特徴とする請求項１から請求項６のいずれか１項に記載のプラズマディスプレイパネル。
【請求項８】
前記放電セルは、六角形の平面形状を有することを特徴とする請求項１から請求項７のいずれか１項に記載のプラズマディスプレイパネル。
【請求項９】
前記第１方向に隣り合う１対の放電セルを区画する隔壁の延長線は、前記第２方向に隣接する放電セルの中心を通ることを特徴とする請求項１から請求項８のいずれか１項に記載のプラズマディスプレイパネル。
【請求項１０】
前記各画素を構成する放電セルのうちの２個は、前記第１方向に並んで隣接して配置されていることを特徴とする請求項１から請求項９のいずれか１項に記載のプラズマディスプレイパネル。
【請求項１１】
前面基板と、
前記前面基板と向かい合う背面基板と、
前記前面基板と背面基板との間に位置し、その間の空間を区画して多数の放電セルを形成する隔壁と、
前記放電セルに対応して第１方向に長く形成されるアドレス電極と、
前記第１方向と交差する第２方向に長く延長され、前記放電セルにおいて互いに向かい合う第１電極及び第２電極とを有し、
前記第１方向に１行置きに位置する放電セルが同一な前記アドレス電極に対応し、前記隔壁の側面は前記第１方向に傾斜して形成されていることを特徴とするプラズマディスプレイパネル。
【請求項１２】
前記各放電セルの中心部分において、前記第１方向に測定される上部幅は前記第１方向に測定される底面幅よりも長く形成されていることを特徴とする請求項１１に記載のプラズマディスプレイパネル。
【請求項１３】
前記各放電セルの前記第２方向に沿った縁部において、前記第１方向に測定される上部幅は、前記第１方向に測定される底面幅よりも短く形成されていることを特徴とする請求項１１または請求項１２に記載のプラズマディスプレイパネル。
【請求項１４】
前記隔壁の側面は、前記放電セルの前記第２方向の中心部分で前記放電セルの底面と鈍角を形成して前記前面基板に向かって傾斜していることを特徴とする請求項１１から請求項１３のいずれか１項に記載のプラズマディスプレイパネル。
【請求項１５】
前記各画素は３個の放電セルから構成され、前記各画素を構成する放電セルの中心が三角形状に配置されていることを特徴とする請求項１１から請求項１４のいずれか１項に記載のプラズマディスプレイパネル。
【請求項１６】
前記各画素は赤色、緑色、青色の放電セルを有することを特徴とする請求項１５に記載のプラズマディスプレイパネル。
【請求項１７】
前記同一なアドレス電極に対応する放電セルは、同一な色の蛍光体層を有することを特徴とする請求項１から請求項１６のいずれか１項に記載のプラズマディスプレイパネル。
【請求項１８】
前記放電セルは、六角形の平面形状を有することを特徴とする請求項１から請求項１７のいずれか１項に記載のプラズマディスプレイパネル。
【請求項１９】
前記第２方向に隣り合う１対の放電セルを区画する隔壁の延長線は、前記第１方向に隣接する放電セルの中心を通ることを特徴とする請求項１１から請求項１８のいずれか１項に記載のプラズマディスプレイパネル。
【発明の詳細な説明】
【技術分野】
【０００１】
本発明は、プラズマディスプレイパネルに係り、特に画素の高集積化が可能になるように画素配列及び電極配列を改善し、画素の高集積化に伴う蛍光体の塗布面積が減少する問題を解決したプラズマディスプレイパネルに関する。
【背景技術】
【０００２】
一般にプラズマディスプレイパネルは、気体放電によって得られたプラズマから放射される真空紫外線が蛍光体を励起させて発生する赤色（Ｒ）、緑色（Ｇ）、青色（Ｂ）の可視光を利用して画像を表示するディスプレイ素子である。このようなプラズマディスプレイパネルは、６０インチ以上の超大型の画面をわずか１０ｃｍ以内の厚さに実現することができ、ＣＲＴのような自発光ディスプレイ素子であるので、色再現力及び視野角による歪み現象がない。さらに、ＬＣＤ等と比較して製造工法が簡単であり、生産性及びコストの面からも有利であり、ＴＶ及び産業用の平板ディスプレイとして注目を集めている。
【０００３】
プラズマディスプレイパネルには、３電極面放電型プラズマディスプレイパネルがある。この３電極面放電型プラズマディスプレイパネルは、同一面上に位置している維持電極と走査電極とを有する基板と、この基板から垂直方向に一定の距離を置いて隔離して延在し、アドレス電極を備えた他の基板とから構成され、これらの基板の間に放電ガスが封入されている。このプラズマディスプレイパネルにおいて、放電は各ラインに接続されて独立的に制御されている走査電極とアドレス電極との放電によって決定され、画面を表示する維持放電は同一面上に位置した維持電極と走査電極とによって行われている。
【０００４】
図８は、従来のプラズマディスプレイパネルの画素及び電極配列を示した平面図である。図８に示すように、密閉型の隔壁構造を有するプラズマディスプレイパネルにおいて、放電セルは放電ギャップを形成して対向する維持電極（Ｘｎ、…、Ｘｎ+３）と走査電極（Ｙｎ、…、Ｙｎ+３）との間に形成され、１画素６１はこのような放電セルのうち互いに隣接した赤色、緑色、青色の放電セル６１Ｒ、６１Ｇ、６１Ｂによって構成されている。この時、アドレス電極６５は、前記１画素６１を構成する放電セル６１Ｒ、６１Ｇ、６１Ｂのそれぞれを通るように形成されている。
【０００５】
したがって、図示するように、ｘ軸方向に４個の画素６１が配置されている場合には各画素６１あたり３個ずつ全部で１２個のアドレス電極６５（Ａｍ、Ａｍ+１、…、Ａｍ+１１）が必要となる。しかし、プラズマディスプレイパネルの高解像度化に伴って放電セルを高集積する場合、各放電セルを通るアドレス電極６５がさらに近づくようになり、その結果として隣り合うアドレス電極間のキャパシタンス（Ｃ）値が増加し、必然的にエネルギー（=ＣＶ２ｆ）の消耗が増加することになる。
【０００６】
一方、放電セルを区画する隔壁は、背面基板においてその断面形状が梯形状に形成される。したがって、放電セルの全体の横断面形状は逆梯形状を有している。隔壁は、このように傾斜面を有することにより蛍光体の塗布面積を大きくし、発光時に充分な色及び輝度を表示することができる。
【０００７】
しかし、放電セルの高集積化は、従来と比較して放電セルの空間を大きく減らすため、従来のような逆梯形状の放電セル形状は、高集積化された放電セルには適していない。
【０００８】
このような放電空間の不足を解消するための一方法として、隔壁の断面を垂直に形成する方法があるが、このような試みは、高集積化された放電セルにおける放電空間を大きくできるが、蛍光体の塗布面積を減少させ、発光輝度や、色の表現等に不具合が生じる。
【発明の開示】
【発明が解決しようとする課題】
【０００９】
そこで、本発明は上記従来の問題点に鑑みてなされたものであって、本発明の目的は、画素の配列を改善し、各画素に対応するアドレス電極の個数を減少させることのできるプラズマディスプレイパネルを提供することにある。また、高解像度パネルの製作に伴うアドレス消費電力の増加を抑制するとともにアドレス回路の数を減らすことで、製作コストを低減することのできるプラズマディスプレイパネルを提供することに目的がある。また、高集積化された放電セルにおいても蛍光体の塗布面積を充分に確保し得るプラズマディスプレイパネルを提供することに目的がある。
【課題を解決するための手段】
【００１０】
上記目的を達成するためになされた本発明の実施形態に係るプラズマディスプレイパネルは、前面基板と、前記前面基板と向かい合う背面基板と、前記前面基板と背面基板との間に位置し、その間の空間を区画して多数の放電セルを形成する隔壁と、前記放電セルに対応して第１方向に長く形成されるアドレス電極と、前記第１方向と交差する第２方向に長く延長され、前記放電セルにおいて互いに向かい合う第１電極及び第２電極とを有し、一つの画素を構成する複数の放電セルのうち少なくとも２個は、同一な前記アドレス電極に対応し、前記隔壁の側面は前記第２方向に傾斜して形成されている。
【００１１】
前記各放電セルの中心部分において、前記第２方向に測定される上部幅は、前記第２方向に測定される底面幅よりも長く形成されていることを特徴とする。
【００１２】
前記各放電セルの前記第１方向に沿った縁部において、前記第２方向に測定される上部幅は、前記第２方向に測定される底面幅よりも短く形成されていることを特徴とする。また、前記隔壁の側面は、放電セルの前記第１方向の中心部分で前記放電セルの底面と鈍角を形成して前記前面基板に向かって傾斜している。
【００１３】
そして、前記各画素は３個の放電セルから構成され、前記各画素を構成する放電セルの中心が三角形状に配置されていることが望ましい。また、前記各画素は、赤色、緑色、青色の放電セルを有することができ、一つの画素を構成する放電セルのうち前記同一なアドレス電極に対応する２個の放電セルは、互いに異なる色の蛍光体層を有してもよい。
【００１４】
また、前記各放電セルは六角形状の平面形状であることが望ましく、前記第１方向に隣り合う１対の放電セルを区画する隔壁の延長線は、前記第２方向に隣接する放電セルの中心を通ることが望ましい。そして、前記各画素を構成する放電セルのうち２個は、前記第１方向に並んで隣接して配置されている。
【００１５】
さらに、本発明の実施形態に係るプラズマディスプレイパネルは、前面基板と、前記前面基板と向かい合う背面基板と、前記前面基板と背面基板との間に位置し、その間の空間を区画して多数の放電セルを形成する隔壁と、前記放電セルに対応して第１方向に長く形成されるアドレス電極と、前記第１方向と交差する第２方向に長く延長され、前記放電セルにおいて互いに向かい合う第１電極及び第２電極とを有し、前記第１方向に１行置きに位置する放電セルが同一な前記アドレス電極に対応し、前記隔壁の側面は前記第２方向に傾斜して形成されていることを特徴とする。
【発明の効果】
【００１６】
本発明によれば、画素を構成する３個の副画素のうち２個を同一なアドレス電極に対応するように画素配列の構造を改善し、各画素に対応するアドレス電極の個数を減少させることで、高解像度のパネル作製に伴うアドレス消費電力の増加を抑制することができる効果を有する。また、本発明によれば、パネル全体に必要なアドレス電極数を減少させることができ、これによってアドレス回路数を減少させ、製作コストを低減させるという効果を有する。また、本発明の隔壁は、放電セルの中心部分では傾斜面となり、端部では直立する幾何学形態を有するので、高集積化されたパネルの放電セルでも充分に蛍光体を塗布できるようになり、可視光の発光効率を向上させることができる。
【発明を実施するための最良の形態】
【００１７】
添付した図面を用いながら、本発明の実施形態を、本発明が属する技術分野における通常の知識を有する者が容易に実施することができるように詳細に説明する。しかしながら、本発明は、多様な形態で実現することができ、ここで説明する実施形態に限定されない。
【００１８】
図１は本発明の第１実施形態に係るプラズマディスプレイパネルを部分的に示した分解斜視図である。図示するように、本実施形態に係るプラズマディスプレイパネルは、赤色、緑色、青色の３個の副画素が三角形状に配列されて１組の画素を形成するいわゆるデルタ型のプラズマディスプレイパネルから構成されている。より詳細に説明すると、まず前記プラズマディスプレイパネルは、その間に任意の間隔を置いて実質的に平行に配置されて封入されている背面基板１０と前面基板３０を備えている。
【００１９】
前記背面基板１０と前記前面基板３０との間には、所定の高さで任意のパターンに画素１２０を区画形成する隔壁２３が配置されており、ここで、１組の画素１２０は、上述のように、三角形状に配列されている３個の副画素１２０Ｒ、１２０Ｇ、１２０Ｂから構成されている。この時、前記副画素１２０Ｒ、１２０Ｇ、１２０Ｂは、それぞれ放電セル１８を有しているが、これら放電セル１８は、隔壁２３によって区画形成されている。
【００２０】
本実施形態において、前記それぞれの副画素１２０Ｒ、１２０Ｇ、１２０Ｂの平面形状はほぼ六角形状に形成されているので、これらを区画形成する隔壁２３も六角形状になるように形成され、これによって各副画素１２０Ｒ、１２０Ｇ、１２０Ｂが有する放電セル１８は、上部が開口した六角箱状に形成される。
【００２１】
前記放電セル１８中には、プラズマ放電に必要なＸｅ、Ｎｅ等を含む放電ガスが提供され、前記赤色、緑色、青色の副画素１２０Ｒ、１２０Ｇ、１２０Ｂには、それぞれに対応した赤色、緑色、青色の蛍光体層２５がそれぞれ形成されている。ここで、これら蛍光体層２５は、前記放電セル１８の底面と前記隔壁２３の側面に形成されている。なお、本実施形態における隔壁２３は、放電セルに形成される蛍光体の塗布面積を大きくするために幾何学形態を有しており、以下に図面を用いながら説明する。
【００２２】
前記背面基板１０上には、アドレス電極１５が一方向（図面のｙ軸方向）に沿って複数形成され、各放電セル１８の下方（背面基板１０と放電セル１８との間）を通過するように配置されている。また、前記アドレス電極１５上には、誘電層１２がアドレス電極１５を覆いながら前記背面基板１０の全面に渡って形成され、前記隔壁２３が形成されている層の下部に配置されている。
【００２３】
一方、前記前面基板３０上には、その一方向（図面のｘ軸方向）に沿って配置される表示電極３５が複数形成されており、この時、この表示電極３５は、各放電セル１８に対応して放電ギャップを形成する維持電極３２と走査電極３４とを有している。走査電極３４はアドレス電極１５と作用することにより、点灯する放電セルを選択するように形成され、維持電極３２は走査電極３４との相互作用によって選択された放電セルを放電させて画像を表示する。
【００２４】
さらに、前記維持電極３２と走査電極３４のそれぞれは、前記前面基板３０の一方向（図面のｘ軸方向）に前記隔壁２３の形状に対応した形状で隔壁２３のすぐ上に形成されたバス電極３２ａ、３４ａと、このバス電極３２ａ、３４ａから突出形成されて前記副画素１２０Ｒ、１２０Ｇ、１２０Ｂの放電セル１８内に配置される透明電極３２ｂ、３４ｂとを有して構成されている。
【００２５】
前記バス電極３２ａ、３４ａは金属材料からなることが好ましく、前記隔壁２３の形状に対応して配置され、前記前面基板３０の一方向に沿ってジグザグパターンを有している。このようなバス電極３２ａ、３４ａは、プラズマディスプレイパネルの駆動時に、放電セル１８で生成される可視光を遮蔽しないようにするために、可能な限りその幅を最少化して隔壁２３のすぐ上に配置されている。
【００２６】
さらに、前記透明電極３２ｂ、３４ｂは、ＩＴＯのような透明な材質からなり、一つのバス電極３２ａ、３４ａからこれらを基準としてｙ軸方向に相互に隣接した１対の放電セル１８内にそれぞれ配置される。したがって、一つの放電セル１８中には、その間に任意の間隔を置いて１対の透明電極３２ｂ、３４ｂが対向配置されている。
【００２７】
また、前記前面基板３０上には、前記表示電極３５を覆いながら前面基板３０の全面に誘電層（図示せず）を塗布し、その上にＭｇＯからなる保護膜（図示せず）をさらに塗布することができる。
【００２８】
図２は本発明の第１実施形態に係るプラズマディスプレイパネルの画素及び電極配列の一部分を示した平面図である。
【００２９】
図２に示すように、第１実施形態では、各画素１２０に２個のアドレス電極１５、１５が対応している。前記各画素１２０は、赤色、緑色、青色の３個の副画素１２０Ｒ、１２０Ｇ、１２０Ｂから構成され、これら各画素１２０を構成する副画素１２０Ｒ、１２０Ｇ、１２０Ｂの中心（Ｏ）は三角形状に配置されている。この時、前記一つの画素１２０を構成する副画素１２０Ｒ、１２０Ｇ、１２０Ｂのうちの少なくとも２個は、同一なアドレス電極１５によって駆動されている。
【００３０】
また、本実施形態において、前記各副画素１２０Ｒ、１２０Ｇ、１２０Ｂを構成する放電セル１８は六角形の平面形状を有し、前記アドレス電極１５と平行な方向（図面のｙ軸方向）に沿って隣り合う１対の放電セル１８間の境界を延長させた延長線が、前記アドレス電極１５と交差する方向（図面のｘ軸方向）に沿って隣り合った放電セル１８の中心を通るように配列されている。一方、前記表示電極３５の中で走査電極３４は、各放電セル１８の境界を通り、前記境界を中心としてｙ軸方向に隣り合う１対の放電セル１８に共通の電圧を印加するようになる。さらに、前記表示電極３５の中で維持電極３２も各放電セル１８の境界を通り、前記境界を中心としてｙ軸方向に隣り合う１対の放電セル１８に共通の電圧を印加するようになる。したがって、このような走査電極３４と維持電極３２は、前記アドレス電極１５が延長された方向において交互に配置され、それぞれ１対の放電セル１８の駆動を制御している。
【００３１】
各画素１２０は３個の副画素１２０Ｒ、１２０Ｇ、１２０Ｂがｘ軸方向に２列になって並んだ構成をしており、この２列の間に走査電極３４の透明電極３４ｂは総計４個あり、このうち３個が一つの画素１２０に対応している。したがって、前記走査電極３４の３/４個が、１つの画素１２０ごとに対応している。
【００３２】
本実施形態のように、画素１２０ごとに２個のアドレス電極１５が対応し、３/４個の走査電極３４が対応する場合には、画素１２０ごとに対応するアドレス電極１５と走査電極３４とが、次の数１の式を満足する。
【００３３】
（数１）
アドレス電極の個数：走査電極の個数＝８：３
図２に示す例では、ｙ軸方向に４列の画素１２０が配列され、ｘ軸方向に４行の画素１２０が配列されているので、総計１６個の画素１２０が配置されている。この時、アドレス電極１５は、各画素列あたり２個ずつ対応するので、総計８個のアドレス電極１５（Ａｍ、Ａｍ+１、…、Ａｍ+７）が対応し、走査電極３４は各画素行あたり３/４個ずつ対応するので、総計３個の走査電極３４（Ｙｎ、Ｙｎ+１、Ｙｎ+２）が前記４行の画素に対応している。維持電極３２は、前記画素１２０ごとに走査電極３４の個数と同様に３個の維持電極３２（Ｘｎ、Ｘｎ+１、Ｘｎ+２）が前記４行の画素に対して配置されている。
【００３４】
このように形成された画素配列において、前記同一なアドレス電極１５に対応し、１画素を構成する隣接した２個の副画素１２０Ｇ、１２０Ｂは互いに異なる色の蛍光体層を有している。
【００３５】
なお、このように１画素を基準として２個の副画素が同一なアドレス電極１５に対応し、一つのアドレス電極１５には、互いに異なる色の蛍光体層を有する副画素１２０Ｒ、１２０Ｇ、１２０Ｂが全て対応している。
【００３６】
ここで、図８に示す従来のプラズマディスプレイパネルと比較すると、４×４の画素、つまり、総計１６個の画素に対して従来は総計１２個のアドレス電極が必要であったのに対して、本実施形態では総計８個のアドレス電極のみが必要であり、同一な画素数を維持しながらもアドレス電極の個数を減少させる効果がある。
【００３７】
一方、図３は図２のＩＶ−ＩＶ線に沿った隔壁の断面図であり、図４は図２に示すＶ-Ｖ線に沿った隔壁の断面図であり、図５は図２のＶＩ-ＶＩ線に沿った隔壁の断面図である。図面を用いながら本実施形態に係る隔壁の構造について説明する。
【００３８】
図示するように、図４はｘ軸方向に１個の放電セルを区画する隔壁（以下、縦隔壁）２３の中で放電セルの中心部分における横断面であり、図３及び図５は放電セルの前記アドレス電極１５が延長されている方向に沿った縁部における横断面を示している。
【００３９】
図４から分かるように、放電セルを縦方向（図面のｙ軸方向）に区画する縦隔壁２３ｂの側面は、放電セルの中心部分で前記放電セルの底面と鈍角（θ）をなして傾斜して形成されている。これと比較して、図３及び図５に示すように同一な放電セルの縁部を区画する縦隔壁２３ｂの側面は、前記放電セルの底面と直角、またはこれより小さな鋭角をなすように形成されている。
【００４０】
図４に示すように、放電セルの中心部分を区画する縦隔壁２３ｂの側面は、前記放電セルの底面、つまり、誘電層１２と鈍角をなしてｘ軸方向に傾斜して形成されている。これにより、縦隔壁２３ｂは、誘電層１２の表面と鈍角をなす傾斜面２３１を有している。
【００４１】
また、縦隔壁２３ｂは、ｘ軸方向に隣り合う１対の放電セルを区画する隔壁へ延長されている。このような形状は、隔壁の製造過程で縦隔壁をｘ軸方向に変形させ、縦隔壁２３ｂに傾斜面２３１が形成されるようにしている。
【００４２】
詳細に説明すると、図６は本実施形態に係る隔壁を製造するときに用いる隔壁パターンを示す図である。周知のように、背面基板１０上に互いに一定の間隔を維持する複数のアドレス電極１５を一方向（図面のｙ軸方向）に長く形成し、このアドレス電極１５を誘電層１２で埋める。そして、誘電層１２の上に、隔壁製造用の物質層を全体にわたって均一な厚さに塗布する。この隔壁製造用の物質層はペースト状であり、原材料を揮発性溶媒、添加剤、結合剤のような物質と混合した組成物である。
【００４３】
また、この隔壁製造用の物質層は、図６に示すようなパターン（実線部分）にパターン化される。勿論この隔壁製造用の物質層は、サンドブラスティングまたはエッチングのような従来の方法でパターン化することも可能である。
【００４４】
隔壁は、放電セルの平面形状を六角形状に区画するように形成されているが、放電セルの中心部分における横方向（図面のｘ軸方向）の幅（ｄ３）が同一な放電セル中の端部における幅（ｄ４）より短く、砂時計形状を有している。また、放電セルの中心部分は、（図面のｙ軸方向に）隣り合う１対の放電セルを区画する隔壁パターンがｘ軸方向に連結されて形成されている。このように、隔壁製造用の物質層に、隔壁パターンをパターニングした後に焼成炉に導入して焼成する。焼成過程において、ペーストは揮発性物質が蒸発して収縮現象が生じるが、高さ方向よりも横方向に収縮が発生しやすい。
【００４５】
図６に示す矢印は、１個の放電セルを形成している隔壁パターンの焼成過程で発生する収縮方向を示しており、パターン（ｐ４）の両端は拘束されているため、パターン（ｐ４）は、パターン（ｐ４）の中央に向けて収縮する。同じ理由で、パターン（ｐ３）の両端は拘束されているため、パターン（ｐ３）の中央に向けて収縮するようになる。このようなパターン（ｐ３、ｐ４）の連鎖的な収縮作用により、パターン（ｐ１、ｐ２）ではパターン（ｐ３）に向けて収縮作用が発生する。
【００４６】
一方、隔壁パターンにおいて、（図面のｚ軸方向を基準として）下部は誘電層１２に固定され、上部は自由端をなしているため、焼成過程中の隔壁パターンの収縮作用は主に隔壁の上部側で発生することになる。このため、上述したようなパターン（ｐ１、ｐ２、ｐ３、ｐ４）の収縮作用は、隔壁パターンの上部を選択的に変形させ、図６に示す“Ａ”部分を図４に示した誘電層１２と鈍角をなす外向きの傾斜面に自然に形成する。図６中の実線は、焼成前の隔壁パターンを示し、点線は焼成後の隔壁の形状を示す。これに対し、放電セルの端部を形成しているパターン（ｐ１、ｐ２）部分では、焼成中に収縮作用の影響をほとんど受けず、図３及び図５に示すように、直角またはこれより小さい鋭角になるように縦隔壁が形成されている。
【００４７】
このように、隔壁２３の上部の形状は、図６の点線に示すように、放電セルの中心部分における横方向の幅（ｄ２）が端部における幅（ｄ１）よりも長い六角形状となっているが、隔壁２３の底面の形状は図６の実線に示すように、放電セルの中心部分における横方向の幅（ｄ３）が端部における幅（ｄ４）よりも短い六角形状の幾何学形態を有している。
【００４８】
すなわち、各放電セルの中心部分では第２方向に測定される上部幅（ｄ２）は、第２方向に測定される底面幅（ｄ３）よりも長く形成されていることになる。また、各放電セルの第１方向に沿った縁部では、第２方向に測定される上部幅（ｄ１）は、第２方向に測定される底面幅（ｄ４）よりも短く形成されていることになる。
【００４９】
このような隔壁の形態は、高集積化に伴い放電空間が不足している放電セルに好適に採用されるが、放電セルの端部では隔壁が直立に形成されているので、放電セルの放電空間を増加させることが可能になる。また、放電セルの中心部分では、放電空間を減少させることなく、隔壁に傾斜面を形成することから、蛍光体の塗布面積を大きくすることができる。さらには、放電が集中する放電セルの中心部分に傾斜面が形成されるため、可視光の発光効率を効果的に向上させることができる。
【００５０】
このようにして隔壁が形成された後に、ディスペンサーまたは印刷機を利用して蛍光体を放電セルに塗布し、色別の蛍光体層を形成するが、上述のように、１画素を構成する３個の放電セルが三角形の配列となるように、蛍光体を塗布している。
【００５１】
図７は本発明の第２実施形態に係るプラズマディスプレイパネルの画素及び電極配列の一部を示した平面図である。第２実施形態に係るプラズマディスプレイパネルは、いわゆるデルタ型の隔壁構造を有するプラズマディスプレイパネルにおいて、アドレス電極７５が同一色の放電セル毎に形成された構造を有し、また放電セルの蛍光体の塗布面積を大きくした隔壁構造を有している。
【００５２】
第２実施形態において、放電セル７１は、隔壁により独立的な空間に区画され、１画素７１は、互いに隣接配置され、三角形に配列された赤色、緑色、青色の放電セル７１Ｒ、７１Ｇ、７１Ｂから構成されている。
【００５３】
放電セルの色を決定する蛍光体は、対応するアドレス電極に応じて決定され、アドレス電極に沿って同一な色が各放電セルに提供される。したがって、放電セルは横方向に赤色、緑色、青色の順に形成される。
【００５４】
そして、放電セルは平面形状が六角形であるので、同一列（図面のｙ軸方向）において、１行置きに同じ色の放電セルが配置されている。また、上述の第１実施形態では、縦隔壁が幾何学形態を有しているのに対し、第２実施形態では、行方向（図面のｘ軸方向）の隔壁が上記方法で幾何学形態を有するようになり、高集積化した放電セルでも充分な放電空間を確保するとともに、蛍光体の塗布面積を確保可能に構成されている。
【００５５】
以上、本発明の好ましい実施形態について詳細に説明したが、本発明の権利範囲はこれに限定されず、請求の範囲で定義している本発明の基本概念を利用した当業者の多様な変形及び改良形態も本発明の権利範囲に属するものである。
【図面の簡単な説明】
【００５６】
【図１】本発明の第１実施形態に係るプラズマディスプレイパネルを部分的に示した分解斜視図である。
【図２】本発明の第１実施形態に係るプラズマディスプレイパネルの画素及び電極配列の一部分を示した平面図である。
【図３】図２に示すＩＶ-ＩＶ線に沿った隔壁の断面図である。
【図４】図２に示すＶ-Ｖ線に沿った隔壁の断面図である。
【図５】図２に示すＶＩ-ＶＩ線に沿った隔壁の断面図である。
【図６】隔壁を製造する過程で形成された隔壁製造用の物質層のパターンを示す図である。
【図７】本発明の第２実施形態に係るプラズマディスプレイパネルの画素及び電極配列の一部分を示した平面図である。
【図８】従来のプラズマディスプレイパネルの画素及び電極配列の一部分を示した平面図である。
【符号の説明】
【００５７】
１０  背面基板
３０  前面基板
２３  隔壁
１２０  画素
１２０Ｒ、１２０Ｇ、１２０Ｂ  副画素
１８  放電セル
２５  蛍光体層
１５  アドレス電極
３５  表示電極
３２  維持電極
３４  走査電極
３２ａ、３４ａ  バス電極
３２ｂ、３４ｂ  透明電極
１２  誘電層
２３ｂ  縦隔壁
１２  誘電層
２３１  傾斜面
７１  放電セル
【図１】
2007149669.tif 000003
【図２】
2007149669.tif 000004
【図３】
2007149669.tif 000005
【図４】
2007149669.tif 000006
【図５】
2007149669.tif 000007
【図６】
2007149669.tif 000008
【図７】
2007149669.tif 000009
【図８】
2007149669.tif 000010